(57)【要約】【課題】ネスティング可能な椅子において、座り心地を向上させると共に、座を跳ね上げた状態での背もたれの後傾動も阻止する。【解決手段】背もたれ３は、支持フレーム１９に後傾動自在に連結されている。座２は跳ね上げ回動式の可動ベース体４に前後動自在に装着されている。座２が取り付いた支持ステーに受動アーム４２に設けており、受動アーム４２の上端に設けた冠部材４４（受動部）に背もたれ３の押動部４３が嵌まっている。ロッキングすると冠部材が押されて座２が前進する。可動ベース体４の回動軸心２７と冠部材４４の中心とを、側面視で略一致させている。可動ベース体４を跳ね上げると背もたれ３は後傾に対する支持を失うが、冠部材４４がストッパーの役目を果たすことで、背もたれ３は後傾不能に保持される。【選択図】図１２
2014097178.tif 000002
【特許請求の範囲】
【請求項１】
脚装置はその複数個を前後に嵌め合わせ可能である一方、背もたれの後傾動に連動して座が前進する共に、前記座は前記背もたれの前面に向けて跳ね上げ回動自在であり、前記座又はこれが取り付けられた座受け体に、前記背もたれの下端部に設けた押動部で手前に押される受動部を設けており、前記押動部で受動部を押すことで前記背もたれの後傾動に連動して座が前進する構成であって、
前記押動部と受動部とは、前記座を倒した状態と跳ね上げた状態とのいずれにおいても前後離反しない状態に保持されており、側面視における前記受動部の中心を前記座の跳ね上げ回動軸心に略一致させている、
ネスティング可能なロッキング椅子。
【請求項２】
前記背もたれの押動部は略上下方向に長い空間を有するポケット状になっている一方、前記受動部は前記座又は座受け体から上向きに突出した受動アームの上端に設けられていて前記押動部の空間に上下動可能に嵌まっており、前記受動部が前記押動部の内部で前後動不能に保持されている、
請求項１に記載したネスティング可能なロッキング椅子。
【請求項３】
前記押動部は背もたれに一体成形されている一方、前記受動アームは金属板製であって端面が前後に位置する姿勢であり、前記受動アームの上端に、当該受動アームの板厚よりも厚い樹脂製の冠部材を装着することにより、前記冠部材を前記受動部と成しており、かつ、前記押動部に、前記受動アームは通るが冠部材は通らない縦長溝を前方及び下方に開口して、前記縦長溝の左右両側をフロントリブと成すことにより、前記背もたれの後傾動に際して押動部と受動アームとの相対動が許容されている、
請求項２に記載したネスティング可能なロッキング椅子。
【発明の詳細な説明】
【技術分野】
【０００１】
本願発明は、脚同士を前後に嵌め合わせるネスティングが可能でかつ背もたれがばね手段に抗して後傾動するロッキング椅子に関するものである。
【背景技術】
【０００２】
回転椅子等において、背もたれの後傾動に連動して座が前進するシンクロタイプの椅子は広く普及しており、座を背もたれに連動させる機構としては、リンク機構が使われていることが多い。
【０００３】
他方、椅子の不使用時に格納スペースを節約するために、椅子同士を水平方向に嵌め合わせること（ネスティングすること）も広く行われている。この種のネスティング可能な椅子は、パイプ椅子と呼ばれているタイプが多いが、オフィスで多用されている回転椅子をネスティング可能な構造にすることが特許文献１に開示されている。
【０００４】
具体的に述べると、特許文献１では、まず、脚を前後４本の枝足を有する方式として、前２本の枝足の高さを後ろ２本の枝足の高さよりも低くすると共に、前２本の枝足の広がり角度を後ろ２本の枝足の広がり角度より小さくすることで、前後に配置した脚装置が嵌まり合うように設定している。
【０００５】
次に、背もたれは、脚支柱（ガスシリンダ）の上端に設けた左右横長の固定式ベースに左右の背フレームを介して取り付けられており、固定式ベースに内蔵したトーションバーで背もたれのロッキングに抵抗を付与している。そして、座の下面のうち概ね前後中間部に、固定式ベースに設けた支軸部に回転自在に嵌まる軸受けブラケットを下向き突設し、これにより、座の跳ね上げ回動を許容している。従って、座の跳ね上げ回動中心と背もたれの傾動中心とは同心になっている。
【０００６】
特許文献１では、座の前後中間部を固定式ベースに連結しているので、座は跳ね上げた状態で下半分は背の下端及び固定式ベースよりも下方に位置している。また、固定式ベースの後ろには座の後半部が下向き回動することを許容するための空間が空いている。
【先行技術文献】
【特許文献】
【０００７】
【特許文献１】特許第３７３０１１９号公報
【発明の概要】
【発明が解決しようとする課題】
【０００８】
既述のように、椅子をネスティングするのは不使用時の格納スペースを少なくするためであり、従来は、パイプ椅子のように簡易な構造のものが多かった。しかし、簡易な構造であると、長時間腰掛けた場合の座り心地は良いとは言えなかった。座り心地で大きな要素となるのが背のロッキングであり、パイプ椅子においてもフレーム材の曲がり変形を利用して背に若干のロッキング性を付与することが行われているが、フレーム材の曲がり変形を利用した程度ではロッキング角度はごく僅かであるため、長時間腰掛けた場合の座り心地の改良にはさほど貢献しないと言える。
【０００９】
この点、特許文献１の構成を採用すると、背もたれは通常の回転椅子と同様に大きくロッキングするため、長時間使用し続けても疲れにくくて座り心地に優れている。しかし、座り心地の向上という点に関しては、まだ、改善の余地が見られる。
【００１０】
つまり、パイプ椅子を長時間使用し続けると疲れるのは、使用者が身体を動かそうとしても背もたれも座も追従せず、身体の動きが椅子によって拘束されるためであり、この点、ロッキング式回転椅子は、背もたれがロッキングすると共に一般に座も背の後傾動に連動して動くため、使用者の動きに対する背及び座の追従性が高くて長時間使用し続けても疲れにくいのであるが、特許文献１では背もたれがロッキングするに過ぎず、背もたれがロッキングしても座の位置・姿勢は変化しないため、必ずしも高い座り心地を得るには至っていないと言える。
【００１１】
この点については、シンクロタイプの椅子を適用して、ロッキングによって座が前進する構成を採用したらよいと云えるが、従来のシンクロ機構はリンク機構を採用しているため座を跳ね上げることはできず、ネスティング式の椅子には適用できない。
【００１２】
本願発明はこのような現状を背景に成されたものであり、ネスティング可能なロッキング椅子を、より改良された状態で提供せんとするものである。
【課題を解決するための手段】
【００１３】
本願発明は、請求項１に記載したように、脚装置はその複数個を前後に嵌め合わせ可能である一方、背もたれの後傾動に連動して座が前進する共に、前記座は前記背もたれの前面に向けて跳ね上げ回動自在であり、前記座又はこれが取り付けられた座受け体に、前記背もたれの下端部に設けた押動部で手前に押される受動部を設けており、前記押動部で受動部を押すことで前記背もたれの後傾動に連動して座が前進する構成であって、前記押動部と受動部とは、前記座を倒した状態と跳ね上げた状態とのいずれにおいても前後離反しない状態に保持されており、側面視における前記受動部の中心を前記座の跳ね上げ回動軸心に略一致させている。
【００１４】
背もたれは、脚装置に直接に又は支持フレーム等の支持部材を介して連結することができる。座も同様である。背もたれ及び座をどの部材に連結するかは、椅子の基本構造に応じて選択したらよい。座は、回動式の可動ベース体に取り付けるのが好ましい。
【００１５】
本願発明は、請求項２，３の構成も含んでいる。このうち請求項２の発明は、請求項１において、前記背もたれの押動部は略上下方向に長い空間を有するポケット状になっている一方、前記受動部は前記座又は座受け体から上向きに突出した受動アームの上端に設けられていて前記押動部の空間に上下動可能に嵌まっており、前記受動部が前記押動部の内部で前後動不能に保持されている。
【００１６】
また、請求項３の発明は、請求項２において、前記押動部は背もたれに一体成形されている一方、前記受動アームは金属板製であって端面が前後に位置する姿勢であり、前記受動アームの上端に、当該受動アームの板厚よりも厚い樹脂製の冠部材を装着することにより、前記冠部材を前記受動部と成しており、かつ、前記押動部に、前記受動アームは通るが冠部材は通らない縦長溝を前方及び下方に開口して、前記縦長溝の左右両側をフロントリブと成すことにより、前記背もたれの後傾動に際して押動部と受動アームとの相対動が許容されている。
【発明の効果】
【００１７】
本願発明では、座が背もたれの後傾動に連動して前進するため、ロッキングに際して身体をリラックスした状態に保持できる。すなわち、着座した状態を保持しつつ身体を動かすことができるのであり、これにより、快適な座り心地を得ることができる。そして、座又は座受け体に設けた受動部を背もたれの押動部で押す簡単な構造であるため、従来のようなリンク機構に比べて構造を著しく簡単化できて、コスト抑制にも貢献できる。
【００１８】
また、本願発明は、背もたれで座を押して前進させるものであり、リンク等の部材を介して背もたれと座又は座受け部材とが連結されているものではないため、座の跳ね上げ回動は支障無く行えるのであり、その結果、前後に重ね合わせできるネスティング式椅子でありながら、快適な座り心地を得ることができる。
【００１９】
そして、受動部の中心が座の跳ね上げ回動軸芯と略一致していることにより、押動部と受動部との嵌合関係を保持したまま座を跳ね上げることができるため、座を跳ね上げた状態で背もたれの後傾動に対して押動部がストッパーとして機能しており、このため、背もたれが自重で後ろにずれ回動するような不具合を、特段のストッパー手段を設けることなく防止できる。
【００２０】
請求項２のように押動部をポケット状に形成すると、受動アームと押動部との間に物が挟まることを防止できる利点や、押動部の強度を高めることができる利点がある。また、受動アームの上端が見えないため、美感も向上できる。更に、ピンによる連結に比べて組み立ても容易である。
【００２１】
さて、人が背もたれに凭れかかっていない状態で、背もたれの上端に前向きの外力が掛かることがある。例えば、椅子を机に入り込ませた状態で、人が誤って背もたれの上端を後ろから押した場合などである。このような場合のためには、背もたれをロッキングしていないニュートラル状態で前傾不能に保持するストッパー手段を設ける必要がある。
【００２２】
しかるに、本願請求項３では、押動部のフロントリブを設けたことにより、ニュートラル状態で背もたれに前傾させようとする外力が作用しても、内向きリブが冠部材に手前から当たることで背もたれの前傾が阻止される。従って、特別の前傾阻止手段を設けることなく、座を倒した状態での背もたれの前傾動を防止できる。
【図面の簡単な説明】
【００２３】
【図１】実施形態に係る椅子の斜視図であり、（Ａ）は座を倒した状態の全体斜視図、（Ｂ）は座を跳ね上げた状態での全体斜視図、（Ｃ）は背もたれの部分的な分離斜視図である。
【図２】座を分離した状態の斜視図、（Ｂ）は座受け部の斜視図である。
【図３】座を省略した状態での分離斜視図である。
【図４】ロッキング機構を示す分離斜視図である。
【図５】（Ａ）は座部の一部分離斜視図、（Ｂ）はスライダーと支持ステーとの関係を示す図、（Ｃ）は（Ｂ）のＣ−Ｃ視断面図である。
【図６】座の支持機構を示す一部分離斜視図である。
【図７】（Ａ）は可動ベース体とスライダーとばねユニットとの関係を示す分離斜視図、（Ｂ）は後部ばね受けと可動ベース体との分離斜視図、（Ｃ）は後部ばね受けの斜視図である。
【図８】（Ａ）は座とスライダーとの関係を示す分離斜視図、（Ｂ）を座の後部を下かから部分斜視図、（Ｃ）は座の後部を上から見た部分斜視図である。
【図９】スライダーと支持ステーと座との関係を示す底面図である。
【図１０】（Ａ）は連動部の一部を示す分離斜視図、（Ｂ）は同じく連動部の部分正面図である。
【図１１】（Ａ）は図１０（Ｂ）のＡ−Ａ視断面図、（Ｂ）は（Ａ）の部分拡大図、（Ｃ）は図１０（Ｂ）のＢ−Ｂ視断面図である。
【図１２】（Ａ）は動きを示すための側面図、（Ｂ）は跳ね上げ回動支点と支持ステーの押し位置との関係を示す分離側面図である。
【図１３】背もたれの連結部を示す図で、（Ａ）は外観の斜視図、（Ｂ）は分離斜視図、（Ｃ）は上キャップを分離した状態の斜視図、（Ｄ）は全体の分離斜視図である。
【図１４】（Ａ）は回動軸心で切った平断面図、（Ｂ）は分離斜視図である。
【図１５】背もたれの取り付け手順を示す側面図である。
【図１６】背もたれの取り付け手順を示す図で、（Ａ）は側面図、（Ｂ）は斜視図である。
【図１７】（Ａ）（Ｂ）は可動ベース体の連結構造を示す分離斜視図、（Ｃ）は下キャップの斜視図である。
【図１８】（Ａ）は可動ベース体の連結構造を示す分離斜視図、（Ｂ）は回転軸心で切った平断面図である。
【図１９】（Ａ）（Ｃ）は分離斜視図、（Ｂ）は下ブッシュの斜視図である。
【図２０】（Ａ）は図１８のＡ−Ａ視断面図、（Ｂ）はビスをねじ込み切る前の状態の部分断面図である。
【図２１】可動ベース体の取り付け手順を示す図である。
【図２２】可動ベース体とステーとの関係を示す図で、（Ａ）は平面図、（Ｂ）は正面図である。
【図２３】回転椅子に適用した第３実施形態の斜視図である。
【発明を実施するための形態】
【００２４】
(1).椅子の概要
次に、本願発明の実施形態を図面に基づいて説明する。まず、椅子の概略を主として図１〜４に基づいて説明する。なお、以下の説明で方向を特定するために「前後」「左右」の文言を使用しているが、この前後・左右は、椅子に普通に腰掛けた人から見た状態を基準にしている。正面視方向は、着座者と対向した方向である。
【００２５】
図１のとおり、椅子は、大きな要素として脚装置１と座２と背もたれ３とを備えており、座２は、跳ね上げ回動式の可動ベース体４に取り付けられている。従って、座２と可動ベース体４とを主要要素として座部５が構成されている。図１（Ａ）に示すように、座２は、樹脂製の座板（座インナーシェル）６とその上面に張った座クッション材７とを備えており、座クッション材７はクロス等の表皮材８で覆われている。なお、可動ベース体４は、回動式ベース又は跳ね上げ式ベースと呼ぶことも可能である。図２〜４に示すように、可動ベース体４の上面には多数の補強リブ９を設けている。
【００２６】
脚装置１は鋼管やアルミ管等の金属管から成っており（従って、本実施形態はいわゆるパイプ椅子に適用している。）、左右の前足１０と左右の後足１１とを有する４本足方式になっている。前後各足にはキャスタ１２を取り付けている。前足１０の上端には、水平に対してやや前傾した姿勢で後ろ向きに延びる上サイド部１４が曲げ形成されており、上サイド部１４の後端を後足１１の上端寄り部位に突き合わせて溶接で固定している。
【００２７】
左右の上サイド部１４の前端は左右横長の横杆１５で連結されている。横杆１５は前倒しされた座部５を支持する機能も有しており、左右中間部が高くなるように正面視で上向き凸状に緩く曲がっている。後足１１は、上に行くほど手前にずれるように側面視で前傾姿勢になっており、かつ、緩い曲率で湾曲している。図１（Ｂ）のとおり、可動ベース体４の下面には、横杆１５の左右中間部が嵌まる凹所４ａを形成している。
【００２８】
後足１１の上端は自由端になっており、上端に軸心を左右水平とした上支軸１７が溶接で固定されており、この上支軸１７に背もたれ３が上ビス１８を介して後傾動可能に連結されている。従って、本実施形態では、後足１１の上端部が、背もたれ３と座２とを取り付ける支持部材の一例としての支持フレーム１９になっている。支持フレーム１９は脚装置１を構成する後足１１の一部なので、本実施形態は、背もたれ３と座２とが脚装置１に直接取り付けられていると見ることも可能である。既述のように後足１１は側面視で前傾しており、このため、上支軸１７は座２の後端よりも手前に位置している。
【００２９】
左右の後足１１の左右間隔は左右前足１０の左右間隔よりも大きくなっており、このため、座部５を跳ね上げた状態で前後の椅子の脚同士を嵌め合わせる（ネスティングする）ことが可能になっている。例えば図３に明示されているように、後足１１の内側面には、椅子をネスティングした時に後ろの椅子の前足１０が当たる（嵌まる）ストッパー２０を設けている。ストッパー２０はゴム製又は樹脂製であり、緩衝機能と位置決め機能とを有している。
【００３０】
なお、脚装置１の形態は任意に設定することができる。敢えて述べるまでもないが、左右前足１０の間隔を左右後足１１の間隔より大きくすることによっても、ネスティング可能である。各足１０，１１は、中実の棒材で製造したり楕円管で製造したりすることも可能である。勿論、アルミダイキャスト品又は樹脂成形品も採用可能である。
【００３１】
例えば図３に示すように、可動ベース体４は、平面視四角形で浅い箱状の本体部２１と、本体部２１の後部から外側に広がりつつ上向きに突出した角状アーム２２と有している。可動ベース体４は樹脂成形品であり（アルミダイキャスト品でもよい）、角状アーム２２は本体部２１に一体に設けている。なお、本体部２１は箱状であることから、外周は周壁で構成されている。
【００３２】
角状アーム２２は基本的には前後方向に広い板状であるが、前後間隔は上に行くに従って狭まっており、上端には左右外向きに突出したボス部（軸受部）２３を一体に設けており、このボス部２３が支持フレーム１９の上下中途部に下支軸２４と下ブッシュ２５と下ビス２６とで回動可能に連結されている。従って、可動ベース体４は、ボス部２３の軸心２７を中心にして跳ね上げ回動することができ、これにより、座部５は図１（Ｂ）のように跳ね上げられた（折り畳まれた）状態になる。座部５を跳ね上げた状態で、当該座部５の重心はボス部２３及び下支軸２４の軸心２７よりも後ろに位置している。なお、下支軸２４は支持フレーム１９に溶接で固定している。また、下ビス２６の頭は下キャップ２８で覆われている。
【００３３】
図１（Ｃ）に示すように、背もたれ３は、前後に大きく開口した背もたれ本体（背フレーム）２９と、背もたれ本体２９にその開口部を覆うように取り付けられたサポート体（背板）３０とを有している。サポート体３０の前面には背クッション材３１を張っているが、背クッション材３１を設けずにサポート体３０を露出させたままでもよい。背もたれ本体２９及びサポート体３０は、樹脂の成形品である。
【００３４】
背もたれ本体２９のうち下寄りの部位には左右外側に張り出した外向き張り出し部２９ａを形成しており、この外向き張り出し部２９ａの外端に、上支軸１７に嵌まる軸受け部３２を形成している。軸受け部３２には図示しないブッシュが嵌まっており、上ビス１８を内側から上支軸１７にねじ込むことにより、背もたれ本体２９は上支軸１７に離脱不能に保持されている。上ビス１８の頭は上キャップ３３で覆われている。外向き張り出し部２９ａは平面視で手前に突出しており、このため、背もたれ３で着座者の腰部を後ろから囲う状態になっている。
【００３５】
背もたれ３を縦断側面視で見ると、背もたれ本体２９のうち外向き張り出し部２９ａを設けている高さ位置の部分が最も前に位置するように曲がった形態になっている。そして、外向き張り出し部２９ａの高さは、平均的な成人が着座した場合に腰部（特に第３腰椎のあたりが好ましい）の高さになるように設定している。このため、背もたれ３はランバーサポート機能を保持している。
【００３６】
背もたれ本体２９の開口とサポート体３０とは、下部が丸みを帯びて全体的に上に窄まった正面視形態を成している。サポート体３０には、その周縁部を除いて多数の穴が縦横に並んで開口しており、このため、多数の縦筋と横筋とが交叉した格子状の外観を呈している。サポート体３０の周縁部が背もたれ本体２９に嵌め込み装着されている。
【００３７】
敢えて述べるまでもないが、背もたれ本体２９を前後に開口していない構成として、これに背クッション材３１を直接に又はインナー部材を介して取り付けることも可能である。また、樹脂製のサポート体３０に代えて、可撓性のあるメッシュ材を背もたれ本体２９に張ることも可能である。樹脂製のサポート体３０を設ける場合、横長のスリットが多段に形成された形態など、様々の態様を採用できる。背もたれ３は、背もたれ本体２９のみで構成することも可能である。
【００３８】
背もたれ３が後傾すると、座２は前進する。従って、座２は可動ベース体４に前後スライド自在に取り付けられている。具体的には、図２〜４に示すように、可動ベース体４に左右一対のスライダー３６を前後動自在に装着し、左右スライダー３６に座板６が前後相対動不能に装着されている。従って、座２はスライダー３６と一緒に相対動する。図４に示すように、スライダー３６の前進動は、弾性支持手段の一例としてのばね３７（圧縮コイルばね）で弾性的に支持される。ばね３７は前後のばね受け３８，３９で支持されており、前部ばね受け３８は可動ベース体４に前後動不能に保持されており、後部ばね受け３９はスライダー３６で押されて前進する。
【００３９】
更に、左右のスライダー３６の後端部には金属板製の左右横長の支持ステー（ジョイント板）４０がビス４１で固定されており、支持ステー４０の左右両端部に上向きの受動アーム４２を曲げ形成している一方、背もたれ本体２９の下端部には、支持ステー４０の受動アーム４２に上から嵌まるポケット状の押動部（ホルダー部）４３を設けている。受動アーム４２の上端には、樹脂製の冠部材４４を装着している。冠部材４４は、押動部４３への反力を分散させると共に動きを滑らかにするためのものである。
【００４０】
本実施形態の椅子は、着座者の凭れ掛かりによって背もたれ３がロッキングすると、支持ステー４０を介してスライダー３６が前進し、これにより、座２は背もたれ３のロッキングに連動して（シンクロして）前進する。
【００４１】
従って、本実施形態の椅子は、ネスティング可能な椅子でありながら、座２は背もたれ３のロッキングに連動して前進動する。なお、スライダー３６はばね３７で後退方向に付勢されているので、押動部４３は受動アーム４２を押す機能があれば足り、従って、ポケット状の形態にすることなく、例えば背もたれ本体２９の下部の一部を厚肉化することで、押動部４３として機能させることも可能である。本実施形態では、押動部４３と支持ステー４０の受動アーム４２とで連動手段を構成している。また、スライダー３６と支持ステー４２とで前後動自在な座受け体が構成されており、これらスライダー３６と支持ステー４２に座２が取り付けられている（取り付け構造は後述する。）。
【００４２】
(2).スライド機構
次に、各部位の詳細を説明する。まず、主として図５〜７を参照してスライド機構を説明する（図６ではスプリングクは省略している）。既述のように、可動ベース体４には、座２が固定された左右一対のスライダー３６が配置されている。
【００４３】
例えば図６，７のとおり、スライダー３６は前後長手で下向きに開口した溝型になっており、左右側板３６ａの下端に外向きの前後フランジ３６ｂを曲げ形成している。他方、可動ベース体４の左右側部には、スライダー３６が被さる前後一対の支持突起４５を設け、支持突起４５４上端に、軸心を作用横長にして配置されたコロ４６を転動自在に嵌め入れている。コロ４６はＰＯＭ樹脂のような摩擦係数が小さく耐磨耗性に優れた樹脂で製造されており、スライダー３６を軽快かつ無音で前後スライドさせることができる。
【００４４】
スライダー３６の左右ずれは、可動ベース体４に設けた外ガイド壁４７と前後の内ガイド突起４８とによって規制されている。そして、外ガイド壁４７と前後の内ガイド突起４８とに、スライダー３６の前後フランジ３６ｂの上に位置したガイドストッパー４９を突設している。このため、スライダー３６は上向き移動不能で前後スライド自在に保持されている。スライダー３６の前後フランジ３６ｂの間に大きな間隔が空いている一方、前後のガイドストッパー４９の間にも大きな間隔が空いている。
【００４５】
そこで、スライダー３６の取り付けは、スライダー３６を所定位置よりも後ろにずらした状態で、前後のガイドストッパー４９の間に手前側のフランジ３６ｂを上から嵌め入れ、それからスライダー３６を手前にずらしてフランジ３６ｂをガイドストッパー４９に下に位置させる、という手順で行われる。スライダー３６のフランジ３６ｂと可動ベース体４の底面との間にはある程度の間隔が空いており、そこで、可動ベース体４には、スライダー３６のフランジ３６ｂに近接する補強リブ９を設けている。
【００４６】
ばね３７と前後ばね受け３８，３９とは１つのユニットになっており、前部ばね受け３８は、手前側に位置した支持突起４５の後面に設けた左右ホルダー片５０にて前後左右ずれ不能に保持されている。すなわち、図７に示すように、前部ばね受け３８は左右のホルダー片５０で挟まれた状態で後端が前部の支持突起４５に当接しているが、左右ホルダー片５０に支持突起４５との間に溝ができるように切欠き５１を形成する一方、前部ばね受け３８には、切欠き５１に上から嵌まる横向き突起３８ａを設けており、これにより、後部ばね受け３９は左右方向及び前後方向にずれ不能に保持されている。
【００４７】
また、同じく図７に明示するように、前部ばね受け３８には前端を自由端とした前向き片３８ｂを形成しており、前向き片３８ｃの前端にストッパー爪３８ｄを設けて、このストッパー爪３８ｄを、スライダー３６に形成した長溝５２に嵌め入れている。ストッパー爪３８ｄは、その前端面は鉛直姿勢になっており、このため、スライダー３６の後退位置が規制されている。また、ストッパー爪３８ｄの後面は後ろに行くに従って低くなった傾斜面３８ｅになっており、このため、スライダー３６を後ろから手前にずらしてセットするにおいて、前向き片３８ｃがいったん下向きに曲がり変形してから戻り変形する。従って、スライダー３６の取り付けは簡単に行える。
【００４８】
他方、図６，７に示すように、後部ばね受け３９には、スライダー３６に切り起こし形成した垂下片５３が後ろから当接している。垂下片５３はその下端に左右外向き凸片５３ａを設けた正面視逆Ｔ型になっている一方、後部ばね受け３９には、垂下片５３のうち下端を除いた部分を左右から挟む左右の規制片３９ａを設けている。このため、スライダー３６と後部ばね受け３９とは左右ガタ付き不能に保持されている。
【００４９】
後部ばね受け３９には手前に延びるロッド３９ｂが一体に形成されており、ロッド３９ｂの先端を前後ばね受け３８に設けた係合穴５４に嵌め込むことにより、前後のばね受け３８，３９は抜け不能で相対動可能に保持されている。前後ばね受け３８，３９が最も離反した状態で、ばね３７は予備圧縮されている（プリテンションが掛かっている。）。
【００５０】
(3).スライダーとステーと座板との関係
次に、従前の図に加えて図８，９も参照してスライダー３６と支持ステー４０と座板６との関係を説明する。図５（Ｂ）（Ｃ）のとおり、スライダー３６の後端には後ろ向き片３６ｄを設けて、これを支持ステー４０にビス４１及びナット（袋ナット）５８で固定している。
【００５１】
支持ステー４０のうちスライダー３６の固定部は上向き膨出部４０ａになっており、上向き膨出部４０ａに凹み形成した段部４０ｂにスライダー３６の突片３６ｃを固定している。このため、支持ステー４０は高い剛性を保持している。なお、ナット５８を使用せず、ビス４１を支持ステー４０に直接ねじ込むことも可能である（この場合は、支持ステー４０にバーリング部を形成して、ビス４１をバーリング部にねじ込むのが好ましい。）。なお、支持ステー４０の膨出部４０ａは受動アーム４２にも延びており、このため、受動アーム４２の強度が格段に高くなっている。
【００５２】
図８に示すように、座板６の下面には、スライダー３６を左右から抱持する前後一対ずつの下向き規制体５９，６０を設けており、前部の下向き規制体５９には、スライダー３６の前端面に当たる規制部５９ａを設けている。更に、座板６には、スライダー３６の後端に当接するストッパー爪６０を設けている。
【００５３】
ストッパー爪６０は、後端を自由端とした後ろ向きの舌片６１の後端に形成しており、かつ、ストッパー爪６０の後面は後ろに行くる従って高くなる傾斜面６０ａになっている。このため、座板６をスライダー３６に重ねて後ろにずらすと、ストッパー爪６０はいったん上に逃げ移動してから戻り変形して、スライダー３６のうち突片３６ｃの左右外側に位置した後端面に当接し、これにより、座板６は前後左右にずれ不能に保持される。
【００５４】
更に、座板６の下面には、支持ステー４０の前端縁に手前から嵌合する側面視鉤型のリア係合爪６２を設けている。リア係合爪６２は左右中間部とその左右外側との３カ所に設けており、リア係合爪６２の存在によって座板６の後部は支持ステー４０から上向き動不能に保持されているため、ストッパー爪６０がスライダー３６に係合した状態が保持されている。
【００５５】
敢えて述べるまでもないが、座板６の取り付け構造は様々の手段を採用できる。例えば、スライダー３６や支持ステー４０にビス止めすることも可能である。また、左右のスライダー３６をその前部においてもステーで連結し、前部のステーに対して座板を取り付けることも可能である。
【００５６】
なお、図１（Ｃ）を参照して説明したように、座クッション材７は表皮材８で覆われているが、表皮材８には筒部が形成されてこれに紐が通っており、紐を絞ることで座板６に取り付けている。そして、例えば図８（Ｂ）に示すように、座２の周縁の下面には紐を嵌め込む環状溝６３が形成されている。そして、紐は座板６の後端部の左右中間部において結んでいるが、座２の跳ね上げ状態で紐の結び目が露出すると美感を損なう虞がある。
【００５７】
そこで、例えば図８に示すように、座板６の後端には下向きのカバー片６４を設けて、カバー片６４を倒すことにより、紐の結び目の露出を防止している。カバー片６４は倒した状態で座板６の下面と同一面を成すように設定しており、かつ、図示しない爪手段によって起こし不能に保持される。
【００５８】
(4).座の押動機構
次に、主として図１０，１１に基づいて、ロッキングに伴う座の押動機構を説明する。図１０，１１のとおり、支持ステー４０における受動アーム４２の上端には既述のとおり樹脂製の冠部材４４を装着している。冠部材４４は側面視で概ね円形に近い形態であり、受動アーム４２の上端が嵌まる下向き開口溝７５を設けている。
【００５９】
受動アーム４２の上端も側面視で概ね円弧状に形成されているが、手前側に係合段部７６を形成して後ろ側には切欠き７７を形成しており、このため、受動アーム４２の上端には首付きの頭部４２ａが形成された状態になっている。冠部材４４には、受動アーム４２の係合段に嵌合する爪部４４ａを形成しており、このため、冠部材４４は、受動アーム４２にガタ付き無く離脱不能に保持されている。
【００６０】
背もたれ本体２９の押動部４３は既述のとおりポケット状に形成されており、左右の側板４３ａと、左右側板の上端に繋がった天板４３ｂと、左右側板４３ａの内部に一対に繋がった上下長手の中板４３ｃとを有している。左右側板４３ａの前端には内向きのフロントリブ４３ｄが形成されており、フロントリブ４３ｄの間隔は、受動アーム４２は通るが冠部材４４は抜け出ない寸法に設定されている。受動アーム４２の頭４２ａ及び冠部材４４は、フロントリブ４３ｄと中板４３ｃとの間に位置しており、受動アーム４２が冠部材４４を介して中板４３ｃで押されることにより、背もたれ３のロッキングに連動して座２が前進動する。
【００６１】
中板４３ｃの前面は、平面視で左右方向に真っ直ぐ伸びる平坦面になっている。このため、冠部材４４をこじれのない状態で押すことができる。中板４３ｃはこのように冠部材４４をこじれなく安定良く押すために設けたものであるから、中板４３ｃの後ろの空間は塞いでもよい。すなわち、中板４３ｃを設けることに代えて、背もたれ本体２９に段部を形成してもよい。図１１のとおり、中板４３ｃの上半分程度では後ろには空間はなくて、実質式には段部になっている。
【００６２】
図１１に示すように、背もたれ３は上支軸１７の軸心７８を中心にして矢印７９方向に回動し、この回動により、押動部４３は下降しつつ前進する。他方、支持ステー４０は前進するだけである。従って、冠部材４４が押動部４３の内部に相対的に上昇動することにより（中板４３ｃで冠部材４４を押す位置が高くなることにより）、ロッキングによる座２の前進動が許容されている。背もたれ３に作用する体圧が解除されると、支持ステー４０はばね３７によって後退し、すると、押動部４３が冠部材４４で押されて背もたれ３は戻り回動する。
【００６３】
さて、人が背もたれ３に凭れかかっていない状態で背もたれ３の上端に前向きの外力が掛かることがあるが、本実施形態では、押動部４３の左右側板４３ａの前端にフロントリブ４３ｄを設けたことにより、ニュートラル状態で背もたれ３に前傾させようとする外力が作用しても、フロントリブが冠部材４４に手前から当たることで背もたれ３の前傾が阻止される。従って、特別の前傾阻止手段を設けることなく、背もたれ３の前傾を防止できる。この点、本実施形態の利点の一つである。
【００６４】
また、図１２のとおり、可動ベース体４の回動軸心２７と冠部材４４の軸心８０とが一致しているため、可動ベース体４をポケット状の押動部４３に収納したものでありながら、可動ベース体４はこじれなく回動させることができる。また、可動ベース体４をはね上げると背もたれ３は姿勢保持機能を失うため、特段の姿勢保持手段を講じないと、背もたれ３が自重で後傾し勝手になるが、その後傾動は押動部４３が冠部材４４に当たることで阻止される。従って、特段の後傾阻止手段を設けることなく、背もたれ３がずり下がるような状態で後傾動することを防止できる。
【００６５】
なお、冠部材４４の軸心８０は、ごく僅かの寸法（例えば１〜３ｍｍ程度）だけ可動ベース体４の回動軸心２７から下方又は手前若しくは手前下方にずらすことも可能である。この場合は、可動ベース体４はこじれを持った状態で回動するが（すなわち支点超えする状態で回動するが）、こじれは背もたれ本体２９の弾性変形によって吸収され、かつ、可動ベース体４を跳ね上げた状態で、背もたれ本体２９の弾性復原力が可動ベース体４を後傾し勝手に押すように作用するため、可動ベース体４を跳ね上げた状態を保持するのに有効である。既述のとおり、座部５を跳ね上げた状態では、当該座部５の重心はその回動軸心２７よりも後ろに位置している。
【００６６】
押動部４３に、冠部材４４に後ろから当たる金属製の当て板を設けることも可能である。また、冠部材を使用せずに、第１実施形態と同様に受動アーム４２と押動部４３（の側板４３ａ）とを左右横長のピンで連結することも可能である（この場合は、受動アーム４２に設けてピン穴を上下長手の長穴とすることで可動ベース体４の跳ね上げ回動を許容できる。）。
【００６７】
(5).背もたれの連結構造
次に、上支軸１７に対する背もたれ本体２９の連結構造を、主として図１３〜１６を参照して説明する。図１３，１４のとおり、上支軸１７は支持フレーム１９（後足１１）の左右外側に張り出しており、内側に突出した小径部１７ａを備えている。そして、小径部１７ａに背もたれ本体２９の軸受け部３２が、樹脂製の上ブッシュ８２を介して回動可能に嵌合している。上ブッシュ８２は、ＰＯＭ樹脂のように強度に優れると共に摩擦係数が小さい素材から成っている。
【００６８】
上ブッシュ８２は軸受け部３２に外側から嵌まっているが、図１３（Ｄ）に示すように、背もたれ本体２９の軸受け部３２に、上ブッシュ８２が嵌まる左右外向きの筒部８３を一体に形成して、この筒部８３の後部を切欠いている一方、上ブッシュ８２には、筒部８３の切欠き８３ａに嵌まって後ろ向きに延びるストッパー片８２ａを一体に設けており、このため、上ブッシュ８２は背もたれ本体２９の軸受け部３２に相対回転不能に保持されている。
【００６９】
図１４に示すように、上ブッシュ８２は上支軸１７における小径部１７ａの端面に重なる端板８２ｂを有しており、軸受け部３２の中板３２ａと上ブッシュ８２とが上ビス１８で上支軸１７に抜け不能に保持されている。上ビス１８にはフランジ付きのカラー８４が嵌まっており、カラー８４の先端が上支軸１７に設けた規制穴の底につかえることにより、軸受け部３２及び上ブッシュ８２は強固に締結されることなく回動可能な状態で保持されている。
【００７０】
背もたれ本体２９の軸受け部３２には上ビス１８の頭が隠れる凹所３２ｃが左右内側と前方とに開口するように形成されており、凹所３２ｃにはスライド式の上キャップ３３が嵌まっている。上支軸１７の外端面にはエンドキャップ８５が嵌まっている。なお、上支軸１７は肘掛けの取り付けに使用される。エンドキャップ８５が嵌まっている穴は、肘掛けの取り付けに使用される雌ねじ穴である。
【００７１】
図１４に明示するように、背もたれ本体２９における軸受け部３２のうち上ブッシュ８２ストッパー片８２ａが重なっている部分は、後ろに行くに従って左右内側にずれた傾斜面３２ｂになっている。傾斜面３２ｂの後端は上ブッシュ８２の内端面の略真後ろに位置しており、かつ、軸受部３２のうち傾斜面３２ｂの後ろには、傾斜面３２ｂより傾斜角度が大きい平面視弧状の傾斜部８６が連続している。
【００７２】
また、上ブッシュ８２において、ストッパー片８２ａの付け根は端板８２ｂよりも少し外側にずれており、このため、端板８２ｂとストッパー片８２ａとの間は段部８２ｃになっており、この段部８２ｃに軸受部３２の後部が嵌まっている。段部８２ｃの箇所では上ブッシュ８２は全周にわたって軸受部３２に嵌まっている。このため高い軸支機能が発揮されていると共に、上ブッシュ８２は軸受部３２に安定良くしっかりと嵌まっている。
【００７３】
既述のとおり、背もたれ本体２９の押動部４３は支持ステー４０の冠部材４４に嵌まっている。従って、椅子の組み立てに際しては、背もたれ本体２９は、その押動部４３を可動ベース体４に嵌め込みつつ、軸受部３２を上支軸１７に嵌め込まなければならない。この点、本実施形態では、図１５，１６に示すように、背もたれ本体２９をいったんニュートラル姿勢よりも前傾させた姿勢にして背もたれ本体２９を冠部材４４に嵌め込み、次いで、冠部材４４を支点にして後ろに起こしながら軸受部３２を上支軸１７に嵌め込んだらよい。
【００７４】
この組み立てに際しては、上ブッシュ８２は先に上支軸１７に嵌め込んでいる。そして、上ブッシュ８２の後部と軸受部３２の後端とは段差８２ｃの寸法Ｅの分だけ左右方向に噛み合っているが、背もたれ本体２９は左右軸受部３２の間隔が縮まるように若干と弾性変形するので、傾斜面３２ｂを上ブッシュ８２の前端に当てて後ろ向きに押し込むことにより、傾斜面３２ｂが上ブッシュ８２を乗り越えて後ろに移動し、押し込み切るのと同時に軸受部３２と上ブッシュ８２とはしっかり嵌まり合う。
【００７５】
従って、簡単に背もたれ本体２９（背もたれ３）の取り付けをごく簡単に行える。背もたれ本体２９は冠部材４４によっておおまかな左右位置が決められるが、実施形態のように軸受部３２の後ろに傾斜部８６を形成しておくと、誘い込み機能が向上するため好適である。
【００７６】
(6).可動ベース体の連結構造
次に、可動ベース体４の連結構造を主として図１７〜２２に基づいて説明する。図１７〜１９に示すように、可動ベース体４のボス部２３には、中壁８８を挟んで外向き穴８９と内向き穴９０とが形成されており、外向き穴８９に下ブッシュ２５が外から嵌まっている。
【００７７】
外向き穴８９は側面視で上が円弧の略馬蹄形であり、これに下ブッシュ２５の内端部２５ａが相対回転不能に嵌まっている。下ブッシュ２５は、内端部２５ａの外側に位置した下向き突出部２５ｂと、下向き突出部２５ｂの外側に位置して下半周を囲う厚肉部２５ｃを有している。厚肉部２５ｃの両端は上向きの段差面になっている。
【００７８】
他方、可動ベース体４のボス部２３は、下ブッシュ２５を左右と上から囲う逆Ｕ字型のドーム部２３ａを有しており、ドーム部２３ａの左右側板を軸心より下方の部位において切欠くことにより、下ブッシュ２５の厚肉部２５ｃに上から重なる段部２３ｂを形成している（切欠き部符号２３ｄで示す。）。従って、下ブッシュ２５の肉厚部２５ｃの箇所はボス部２３の外周と略同一面を成していて、全体として円筒状になっている。下ブッシュ２５の内部は基本的には円形になっており、これに下支軸２４が嵌まっている。ドーム部２３ａは外向き穴８９の外端の外側にはみ出ている。従って，ドーム部２３ａは下方に開口している。
【００７９】
下ビス２６は内側から下支軸２４にねじ込まれており、下ビス２６には、内向き穴９０の底面に重なる平座金９１と、下ビス２６の座面に重なるフランジを有するカラー９２と、平座金９１とカラー９２のフランジとの間に位置した２枚の皿型ばね座金９３とが嵌まっている。皿型ばね座金９３を偏平に潰し変形した状態で下ビス２６をねじ込むことにより、ボス部２３が下支軸２４に取り付けられる。２枚の皿型座金９３は、その凹部が相対向するように逆向きの姿勢で配置されている（凹部を逆方向に向けた姿勢でもよい。）。外向き穴９０は、前後スライド式の下キャップ２８で塞がれている。
【００８０】
カラー９２が下支軸２４の穴の底面に突っ張ることで下ビス２６のねじ込み深さが規制され、その状態では、ボス部２３は完全に締結されることなく、ばね座金９３は僅かながら潰し変形される余地が残っている。このため、可動ベース体４は下支軸２４の軸心２７を中心にして回動させることができる。また、ばね座金９３の弾性変形力が可動ベース体４の回動に対して抵抗として作用しているため、安価なばね座金９３を利用して、跳ね上げた状態の座部５が倒れ回動することを阻止できる。
【００８１】
更に、下ブッシュ２５の下向き突出部２５ｂに前後長手のばね片部２５ｄを一体に設け、ばね片部２５ｄの前後中間部に係合突部２５ｅを形成している一方、下ブッシュ２５には、座部５を倒した状態と起こした状態とにおいてばね片部２５ｄの係合突部２５ｅに選択的に嵌まる２本の係合溝９４を形成している。ばね片部２５ｄの下方は空間になっており、このため、ばね片部２５ｄが撓み変形して係合突起２５ｅが下ブッシュ２５から逃げることが許容されている。
【００８２】
また、係合突起２５ｅが係合溝９４に嵌まると、カチッという音がしたり、感触によって嵌まり合いが判る。すなわち、座部５を所定の姿勢に跳ね上げたり倒したりすると、人はクリック感を得ることができる。このため、所定姿勢に到達したことを把握できて、ユーザーフレンドリーである。なお、係合突起２５ｅと係合溝９４とは座部５の姿勢保持手段の一例であり、姿勢保持手段としては、例えば、ばねやゴム等の弾性体とボールとを使用したボールキャッチ等の様々な方法を採用できる。
【００８３】
図２１に示すように、可動ベース体４の取り付けは、ボス部２３を下支軸に上から嵌め込むことで行われる。下ブッシュ２５は予め下支軸２４に嵌め込んでいる。この取り付けに際しては、下ブッシュ２５とボス部２３とは、図１８に示すように外向き穴８９の深さ寸法Ｅだけ左右方向に嵌合しているが、可動ベース体４の角状アーム２２は多少は撓み変形するため、可動ベース体４をある程度の力で下向きに押すと、ボス部２３はいったん内側に逃げ変形してから、押し込み切るのと同時に戻り変形して、ボス部２３は下ブッシュ２５に嵌合する。
【００８４】
この場合、ボス部２３のドーム部２３ａが外側に張り出しているため、下ブッシュ２５への嵌め込みに際して前後方向の位置決めが自動的に成される。このため、取り付けを迅速かつ正確に行える。また、図１８に示すように、ボス部２３のうち外向き穴８９の下方の部分は内側に行くほど下がった傾斜面２３ｃになっていると共に、下ブッシュ２５の先端部外面には面取り状の傾斜面２５ｆが形成されているため、下ブッシュ２５へのボス部２３の誘い込みが確実ならしめられている。この点、本実施形態の利点の一つである。
【００８５】
図１８に示すように、可動ベース体４の回動軸心２７と支持ステー４０の冠部材４４の軸心とは同心になっている。この点は既に説明したとおりである。
【００８６】
(7).他の実施形態
図２３では、第１実施形態と同様に回転椅子に適用した例を示している。この例では、ガスシリンダより成る脚支柱９６の上端に設けた昇降ベース９７に左右の支持フレーム１９を設け、この支持フレーム９８に背もたれ３と可動ベース体４とを回動自在に連結している。背もたれ３と可動ベース体４との連結構造は上記した実施形態と同じである。脚装置１は、第１実施形態と同様に、脚筒９９に対する取り付け位置の高さを変えた２本ずつの枝足１０１，１０２を有している。このため、座部５を跳ね上げると前後にネスティングすることができる。
【００８７】
(8).その他
本願発明は、上記の実施形態の他にも様々に具体化できる。例えば、座や背もたれの形態は必要に応じて任意に設定できる。ロッキングに対して抵抗を付与するばね手段としては、トーションバーや板ばねなど各種のばねを採用できる。背もたれの後傾姿勢を制御するガスシリンダ等のロック手段を設けることも可能である。背もたれ又は座は、その外周を構成するフレーム材にメッシュ状等の可撓性シート材を張った構造とすることも可能である。
【００８８】
背もたれと座（可動ベース体）とを別々の支持部材に連結することも可能である。第１実施形態のような固定式脚装置の椅子の場合、脚装置１を構成する上サイド部１４に上向き突出した支持部材（支持部）を設け、これに可動ベース体や背もたれを取り付けることも可能である。受動アームと押動部とを左右中間部の１カ所だけに設けることも可能である。受動部と押動部を左右横長のピンで連結することも可能である（この場合は、受動部と押動部とのピン穴のうち片方を上下長手の長穴にする必要がある。）。
【産業上の利用可能性】
【００８９】
本願発明は椅子に具体化して製造できる。従って、産業上利用できる。
【符号の説明】
【００９０】
１  脚装置
２  座
３  背もたれ
４  可動ベース体
１１  後足
１７  上支軸
１９  支持部材の一例としての支部フレーム（脚支柱）
２１  可動ベース体の本体部
２２  可動ベース体の角状アーム
２３  角状アームのボス部
２４  下支軸
２９  背もたれ本体
３２  背もたれの軸受け部
３６  座受け体を構成するスライダー
３７  ばね
４０  座受け体を構成する支持ステー
４２  受動アーム
４３  押動部
４３ｃ  中板
４３ｄ  フロントリブ
４４  受動部を構成する冠部材
【図１】
2014097178.tif 000003
【図２】
2014097178.tif 000004
【図３】
2014097178.tif 000005
【図４】
2014097178.tif 000006
【図５】
2014097178.tif 000007
【図６】
2014097178.tif 000008
【図７】
2014097178.tif 000009
【図８】
2014097178.tif 000010
【図９】
2014097178.tif 000011
【図１０】
2014097178.tif 000012
【図１１】
2014097178.tif 000013
【図１２】
2014097178.tif 000014
【図１３】
2014097178.tif 000015
【図１４】
2014097178.tif 000016
【図１５】
2014097178.tif 000017
【図１６】
2014097178.tif 000018
【図１７】
2014097178.tif 000019
【図１８】
2014097178.tif 000020
【図１９】
2014097178.tif 000021
【図２０】
2014097178.tif 000022
【図２１】
2014097178.tif 000023
【図２２】
2014097178.tif 000024
【図２３】
2014097178.tif 000025